(57)【要約】【課題】先端節と手元節との間で、両者の径差を小さくすることを可能にする係止構造を備えた玉網を提供することを目的とする。【解決手段】本発明の玉網は、手元節７と、この手元節７の先端側に嵌合する先端節５とを備え、振出し式に構成された玉の柄３を有する。そして、先端節５の外周に突起物１３を設け、この突起物１３の外周に、手元節７と嵌合する被覆層１５を設けたことを特徴とする。【選択図】    図６
2004222558.tif 000002
【特許請求の範囲】
【請求項１】
手元節と、この手元節の先端側に嵌合する先端節とを備え、振出し式に構成された玉の柄を有する玉網において、
前記先端節の外周に突起物を設け、この突起物の外周に、前記手元節と嵌合する被覆層を設けたことを特徴とする玉網。
【請求項２】
前記突起物と被覆層は、共に柔軟部材で形成されることを特徴とする請求項１に記載の玉網。
【請求項３】
前記突起物の硬度と被覆層の硬度は、同等か被覆層の方が大きいことを特徴とする請求項１又は２に記載の玉網。
【請求項４】
前記突起物は、円周方向において均等に複数箇所設けられていることを特徴とする請求項１乃至３のいずれか１項に記載の玉網。
【請求項５】
前記被覆層の外周に、円周方向に沿った凸部、もしくは凸ドットが形成されていることを特徴とする請求項１乃至４のいずれか１項に記載の玉網。
【請求項６】
前記突起物には、先端側に向けて上昇するテーパが形成されていることを特徴とする請求項１乃至５のいずれか１項に記載の玉網。
【発明の詳細な説明】
【０００１】
【発明の属する技術分野】
本発明は、磯釣りや鯉釣り等、魚を取り込む際に用いられる玉網に関し、詳細には、魚を取り込む網を装着した先端節と手元節との間の係止構造に特徴を有する玉網に関する。
【０００２】
【従来の技術】
一般的に、磯釣り等で使用される玉網は、高所から魚を取り込む場合が多いため、持ち運び性を考慮して、柄の部分（玉の柄）を振出し式に構成したものが知られている。このような構成において、魚を取り込むための網は、例えば、公知文献１に開示されているように、玉の柄の先端節（第１管体）の先端側に形成された雌ネジ部分に螺入される円形枠体に装着されている。そして、前記先端節は、振出し状態で順次手元側に位置する中間節（第２管体、第３管体…）に収容され、これら中間節は、手元節（手元管体）に収容されるようになっている。
【０００３】
ところで、上記した先端節の先端部には、手元節との間で係止可能となるようにゴム栓が取着されている。このゴム栓は、収納状態において、先端節、及び中間節が不用意に飛び出さないようにすると共に、実際の使用時において、玉の柄を下方に向けて押し出した際、その慣性で係止関係が外れて手元節に収納された中間節、及び先端節が放出できるように構成されている。
【０００４】
【公知文献１】
実開昭６１−５４３５３号公報。
【０００５】
【発明が解決しようとする課題】
通常、上記した構造のゴム栓は、成型によって作成するため、ある程度の肉厚が必要となる。具体的には、先端節先端と手元節との間に５ｍｍ以上の径差がないと、公知のような構造のゴム栓を成型することができない。
【０００６】
ところが、両者の径差を大きくすべく先端節を細径化すると、先端節の剛性が不足して撓み易くなってしまい、魚の取り込み時に使用し辛いという問題が生じてしまう。これに対して、先端節を太径化すると、先端節と手元節との間の径差が小さくなってしまい、上記したようなゴム栓を作成することができなくなってしまう。
【０００７】
この発明は、上述した問題点に着目してなされたものであり、先端節と手元節との間で、両者の径差を小さくすることを可能にする係止構造を備えた玉網を提供することを目的とする。
【０００８】
【課題を解決するための手段】
上記の目的を達成するために、本発明に係る玉網は、手元節と、この手元節の先端側に嵌合する先端節とを備え、振出し式に構成された玉の柄を有しており、前記先端節の外周に突起物を設け、この突起物の外周に、前記手元節と嵌合する被覆層を設けたことを特徴とする。
【０００９】
上記した構成において、先端節は、収納時において、手元節の先端側に嵌合された状態で係止される。この嵌合部分は、先端節に設けられる突起物と、これを覆う被覆層によって構成されることから薄肉厚化することが可能となる。このため、先端節と手元節の径差を小さくして、先端節の剛性を高めることが可能となる。
【００１０】
【発明の実施の形態】
図１〜図６は、本発明に係る玉網の一実施形態を示す図であり、図１は、玉網の全体構成を示す図、図２は、先端節の先端部を示す図、図３は、図２のＡ−Ａ線に沿った断面図、図４は、突起物の構成を示す平面図、図５は、被覆層を設けた先端節の先端部を示す図、そして、図６は、先端節と手元節との係合状態を示す縦断面図である。
【００１１】
玉網１は、玉の柄３と、玉の柄３の先端に装着された網５０とを備えて構成されている。玉の柄３は、複数の節（管体）を振出し式に構成したものであり、少なくとも網５０を装着した先端節５と手元節７とを備えている。なお、先端節５と手元節７との間には、１本以上の中間節６を備えていても良い。
【００１２】
前記先端節５の先端部には、雌ネジ部１０ａが形成された保持管１０が装着されており、この保持管１０の雌ネジ部１０ａには、網５０を装着した円形枠体５１の基端部に形成された雄ネジ部が螺合されるようになっている。これにより、網５０は、先端節５に対して着脱可能となっている。この場合、保持管１０は、玉の柄３を下向きにして押し出した際、慣性力によって先端節５が振出されるようにある程度の重量のある材料、例えば、ＳＵＳ、アルミ、真鍮等の金属によって形成しておくことが好ましい。また、保持管１０は、先端節５に対して接着によって固着されているが、円形枠体５１を着脱する際に作用するトルクによって剥離等しないように、ネジ、リベット等による固定手段を用いて固着しておくことが好ましい。
【００１３】
前記先端節５には、収納時において、手元節７の先端側に嵌合された状態で係止されるように係止構造１２が設けられており、この係止構造１２は、先端節５の先端に設けられる突起物１３と、この突起物１３を覆うように形成される被覆層１５とを備えている。本実施形態では、突起物１３は、矩形状に構成され、先端節５の先端側の外周に取着されており、被覆層１５は、伸縮自在のチューブ状に構成され、突起物１３の長さ方向全て、及び保持管１０の一部を覆うように取着されている。この場合、突起物１３は、先端節の径方向に対して充分なクッション性が得られるように、円周方向に沿って所定の隙間を有するように均等（図３に示すように１２０°間隔）に配置すると共に、ゴム等の柔軟性のある材料によって形成することが好ましい。また、チューブ状に構成される被覆層１５は、手元節７と嵌合した際に、上記した突起物１３が径方向に弾性変形して所定の嵌合力が得られるように、柔軟性のある材料、例えばゴム、皮、エラストマー、ビニール等によって形成することが好ましい。
【００１４】
上記のチューブ状に構成される被覆層１５は、０．３ｍｍ〜１ｍｍ程度に薄肉化することが可能であり、また、突起物１３は、上記したチューブ状の被覆層１５を取着した状態で、先端節５の外周が手元節７の内周に対して所定の摩擦力をもって摺動できる程度の厚さ、すなわち、両者が嵌合して突起物１３が弾性変形して所定の嵌合力が得られる程度の厚さ（具体的には、５〜８Ｋｇｆで引っ張った際に、嵌合が外れない程度の厚さ）にしておくことが好ましい。
【００１５】
なお、上記したように突起物１３及び被覆層１５は、柔軟性のある部材で形成することが好ましいが、更には、突起物１３の硬度と被覆層１５の硬度は、同等か被覆層１５の方を大きく設定しておくことが好ましい。このように、突起物１３の硬度を被覆層１５に対して低くしておくことで、径方向に対して充分なクッション性（径変化）が得られ、安定した状態で嵌合保持を実現することが可能となる。
【００１６】
また、被覆層１５の手元側端部１５ａは、糸巻きしたり、リング状の部材（金属、ＡＢＳ、ナイロンのような樹脂等）を取着することが好ましい。このような端部構成にすることで、先端節５を手元節７内に収納する際の当たりによる被覆層の損傷を防止することができる。或いは、被覆層１５の手元側端部１５ａに、図５に示すように手元側に向かって小径化するテーパを形成しておくことが好ましい。
【００１７】
上記した係止構造１２によれば、先端節５を手元節７に収納する際、被覆層１５の摺動範囲Ｌが手元節７の先端側内周面に嵌合された状態となる。この際、上記した突起物１３が径方向に弾性変形することで、所定の嵌合保持力が得られ、先端節５は、手元節７に対して抜け止め保持される。
【００１８】
そして、このような係止構造１２によれば、上述した公知技術のような栓体構造にする必要がなくなり、薄肉厚化して先端節５の径と手元節７との間の径差を小さくすることが可能となる。この結果、先端節の剛性を高めることができ、魚の取り込み操作が行ない易い玉網が得られるようになる。また、突起物１３の肉厚によって、上述したような嵌合力に設定しておくことで、実際に磯釣りを行なっている場合等、片方の手で釣竿を握持し、他方の手で玉網を握持している状況下において、玉網を下方に向けて押し出す操作をした際、先端節５がその慣性によって突出し、咄嗟の魚取り込み操作が容易に行なえるようになる。
【００１９】
図７（ａ），（ｂ）及び図８は、上記した実施形態における被覆層の変形例を示す図であり、図７（ａ）は被覆層の部分を示す図、図７（ｂ）はその断面図、図８は別の変形例を示す図である。
【００２０】
これらの変形例に示すように、前記被覆層１５の外周表面に、摺動摩擦抵抗を向上するための手段を形成しておくことが好ましい。図７（ａ），（ｂ）に示す変形例は、被覆層１５の外周表面に円周方向に沿って凸部１５ｂを複数形成したものであり、図８に示す変形例は、凸ドット１５ｃを多数形成したものである。このような構成によれば、玉網を多数回使用しても、嵌合保持力を低下させること無く、長期に亘って安定した嵌合保持力を得ることが可能となる。
【００２１】
図９は、上記した実施形態における突起物の変形例を示す図である。
この変形例に示すように、突起物１３の手元側端部に、先端側に向けて上昇するテーパ１３ａを形成しておくことが好ましい。すなわち、上記した実施形態では、突起物１３は、肉厚を有する矩形状に形成されていたことから、突起物１３の手元側端面に段部が形成されてしまい、図６のＰで示す被覆層表面位置において、摺動を繰り返すと破れ、損傷が生じる可能性がある。これに対し、本変形例のように突起物１３の手元側端面側にテーパを形成しておくことで、図９に示すように、被覆層１５に段部が生じること無く滑らかに上昇するため、被覆層１５の破れや損傷を効果的に防止することが可能となる。
【００２２】
以上、本発明の実施形態について説明したが、本発明は、上記した実施形態に限定されることはなく、例えば、以下のように構成しても良い。
上記した構成において、突起物１３は、嵌合時に径方向に弾性変形できるものであれば良く、その形状、配置態様等は適宜変形することができる。例えば、周方向に沿って更に多数設けても良く、或いは１８０°間隔で２箇所設けた構成であっても良い。また、本実施形態では、図示したように被覆層１５は、保持管１０の一部を覆っているが、保持管１０を覆うことなく、突起物１３のみを覆うような構成であっても良い。
【００２３】
【発明の効果】
以上、本発明によれば、玉網の玉の柄において、先端節と手元節との間で、両者の径差を小さくすることを可能にする係止構造を備えた玉網が得られるようになる。
【図面の簡単な説明】
【図１】本発明に係る玉網の一実施形態を示す図。
【図２】先端節の先端部を示す図。
【図３】図２のＡ−Ａ線に沿った断面図。
【図４】突起物の構成を示す平面図。
【図５】被覆層を設けた先端節の先端部を示す図。
【図６】先端節と手元節との係合状態を示す縦断面図。
【図７】上記した実施形態における被覆層の変形例を示す図であり、（ａ）は被覆層の部分を示す図、（ｂ）はその断面図。
【図８】被覆層の別の変形例を示す図。
【図９】上記した実施形態における突起物の変形例を示す図。
【符号の説明】
１  玉網
３  玉の柄
５  先端節
７  手元節
１２  係止構造
１３  突起物
１５  被覆層
５０  網
【図１】
2004222558.tif 000003
【図２】
2004222558.tif 000004
【図３】
2004222558.tif 000005
【図４】
2004222558.tif 000006
【図５】
2004222558.tif 000007
【図６】
2004222558.tif 000008
【図７】
2004222558.tif 000009
【図８】
2004222558.tif 000010
【図９】
2004222558.tif 000011